(57)【特許請求の範囲】
【請求項１】
入力された印刷ジョブの画像を用紙に印刷して出力する印刷出力装置であって、出力する用紙を用紙幅方向にずらすオフセット処理を行うオフセット処理部と、印刷ジョブのジョブ属性を用紙に印刷するためのバナー出力部と、印刷ジョブのジョブ属性を判別するジョブ属性判別部と、ジョブ属性単位およびジョブ単位でのオフセット処理およびバナー出力を設定する制御部とを備え、当該制御部は、ジョブ単位でオフセット処理を実行させ、先の印刷ジョブのジョブ属性と後の印刷ジョブのジョブ属性が変わるときに、オフセット処理およびバナー出力を実行させるとともに、前記制御部は、前記バナー出力を印刷ジョブの先頭ページの出力前に実行するか印刷ジョブの最終ページの出力後にするかを設定し、前記バナー出力を印刷ジョブの先頭ページの出力前に実行するとき、最初の印刷ジョブに関連するジョブ情報のみをバナーページに記録し、前記バナー出力を印刷ジョブの最終ページの出力後に実行するとき、ジョブ属性が変わる直前のジョブ属性の全ての印刷ジョブに関連するジョブ情報をバナーページに記録することを特徴とする印刷出力装置。
【請求項２】
バナー出力が印刷ジョブの最終ページの出力後に実行されるとき、制御部は、印刷ジョブの出力後、所定時間、次の印刷ジョブが入力されないとき、バナーページを出力することを特徴とする請求項１記載の印刷出力装置。
【請求項３】
制御部は、バナーページを最終ページの上に揃うように出力することを特徴とする請求項２記載の印刷出力装置。
【請求項４】
制御部は、フェイスアップで排出するかフェイスダウンで排出するかを設定することを特徴とする請求項１〜３のいずれかに記載の印刷出力装置。
【請求項５】
バナー出力された用紙は、印刷ジョブの画像が印刷された用紙とは種類が異なることを特徴とする請求項１〜４のいずれかに記載の印刷出力装置。
【請求項６】
制御部は、バナー出力を１枚の用紙にするか複数枚の用紙にするかを設定することを特徴とする請求項１〜５のいずれかに記載の印刷出力装置。
【請求項７】
操作パネルからの入力により、制御部は設定を行うことを特徴とする請求項１〜６のいずれかに記載の印刷出力装置。
【請求項８】
請求項１〜７のいずれかに記載の印刷出力装置にネットワークを介して情報処理装置が接続され、印刷出力装置の制御部は、情報処理装置からの入力により設定を行うことを特徴とする印刷出力システム。
【発明の詳細な説明】
【技術分野】
【０００１】
本発明は、入力された印刷ジョブを用紙に印刷して出力する印刷出力装置に関する。
【背景技術】
【０００２】
印刷出力装置では、印刷ジョブが入力されると、印刷ジョブの画像が用紙に印刷され、用紙が出力される。ネットワークに接続された印刷出力装置は、複数のユーザによって使用される。
【０００３】
各ユーザからの印刷ジョブの印刷が行われたとき、トレイに排出された用紙を印刷ジョブ毎に区分けするために、特許文献１に記載のように、オフセット処理が行われる。オフセット処理によって、用紙が用紙の幅方向にずらされて出力され、印刷ジョブ毎に用紙の排出位置が異なる。
【０００４】
また、印刷出力装置では、印刷ジョブの先頭ページの前にバナーページを印刷するバナー出力が行われる。印刷ジョブ毎にバナー出力が行われ、バナーページによって１つの印刷ジョブにおける用紙の先頭を見分けることができる。
【０００５】
特許文献２には、オフセット処理およびバナー出力をジョブ単位で行うことが記載されている。これによって、バナーページが見つけやすくなり、印刷ジョブ毎に印刷された用紙の取り出しが容易となる。
【特許文献１】特開２００６−２１８４３号公報
【特許文献２】特開２００６−１２０１１号公報
【発明の開示】
【発明が解決しようとする課題】
【０００６】
ジョブ単位でオフセット処理およびバナー出力が実行されるとき、印刷ジョブ毎の区切りはわかる。しかし、複数のユーザによる印刷ジョブの印刷が行われるとき、ジョブ単位でオフセット処理およびバナー出力が実行されても、ユーザ毎の区切りがわからない。すなわち、印刷ジョブのジョブ属性の１つとして、ユーザがあり、ユーザ毎の区切りがわからない。印刷された用紙をユーザ単位といったジョブ属性単位で取り出すには、ユーザはジョブ毎に用紙を確認しなければならず、ユーザに負担を強いることになる。
【０００７】
本発明は、上記に鑑み、印刷された用紙をジョブ属性単位で容易に区別することができる印刷出力装置の提供を目的とする。
【課題を解決するための手段】
【０００８】
本発明は、入力された印刷ジョブの画像を用紙に印刷して出力する印刷出力装置であって、出力する用紙を用紙幅方向にずらすオフセット処理を行うオフセット処理部と、印刷ジョブのジョブ属性を用紙に印刷するためのバナー出力部と、印刷ジョブのジョブ属性を判別するジョブ属性判別部と、ジョブ属性単位およびジョブ単位でのオフセット処理およびバナー出力を設定する制御部とを備えたものである。
【０００９】
オフセット処理およびバナー出力がジョブ属性単位で実行されることにより、ユーザ毎、グループ毎といったジョブ属性に応じて、印刷された用紙が区切られて出力される。したがって、関連する印刷ジョブの用紙を一まとめにして取り出すことができる。
【００１０】
制御部は、先の印刷ジョブのジョブ属性と後の印刷ジョブのジョブ属性が変わるときに、オフセット処理およびバナー出力を実行させる。そして、制御部は、先の印刷ジョブのジョブ属性と後の印刷ジョブのジョブ属性が同じとき、オフセット処理またはバナー出力のいずれか一方を実行させる。
【００１１】
すなわち、制御部は、ジョブ属性単位でバナー出力を実行させるとともに、ジョブ単位でオフセット処理を実行させる、あるいはジョブ属性単位でオフセット処理を実行させるとともに、ジョブ単位でバナー出力を実行させる、あるいは先の印刷ジョブのジョブ属性と後の印刷ジョブのジョブ属性が同じとき、オフセット処理およびバナー出力を実行させないといったそれぞれのパターンを設定する。
【００１２】
このように、ジョブ属性が変わるときに出力される用紙は、前に出力された用紙とは異なる状態で出力される。そのため、ジョブ属性毎に出力された用紙を容易に見分けることができ、一まとめにして取り出しやすくなる。
【００１３】
バナー出力は、印刷ジョブの先頭ページの出力前に実行される、あるいは印刷ジョブの最終ページの出力後に実行される。このために、制御部は、バナー出力を先頭ページの出力前に実行するか最終ページの出力後にするかを設定する。
【００１４】
バナー出力された用紙は、フェイスアップで排出される、あるいは、フェイスダウンで排出される。このために、制御部は、フェイスアップで排出するかフェイスダウンで排出するかを設定する。
【００１５】
バナー出力された用紙は、印刷ジョブの画像が印刷された用紙とは種類が異なる。制御部は、バナー出力に使用する用紙と印刷ジョブに使用する用紙とが異なる種類となるように、用紙を設定する。また、制御部は、バナー出力を１枚の用紙にするか複数枚の用紙にするかを設定する。
【００１６】
オフセット処理およびバナー出力の設定において、操作パネルからの入力により、制御部はこの設定を行う。あるいは、印刷出力装置にネットワークを介して通信可能に接続された情報処理装置からの入力により、印刷出力装置の制御部は、この設定を行う。
【発明の効果】
【００１７】
本発明によると、ジョブ属性単位で印刷ジョブの用紙を区切って出力することができる。これにより、ユーザ毎のように関連する印刷ジョブの用紙が一まとまりとなり、ユーザは関連する用紙をまとめて容易に取り出すことができる。
【発明を実施するための最良の形態】
【００１８】
本実施形態の印刷出力装置を図１に示す。印刷出力装置１は、コピーやプリントを行う画像形成装置であって、コピーの場合、原稿を読み取って、画像データを取得し、プリントの場合、外部からの画像データを受け取る。そして、入力された画像データによって表される画像を用紙に印刷して出力する。
【００１９】
印刷出力装置１は、外部の情報処理装置２からの印刷ジョブを受信するための通信制御部３と、ＣＰＵ、ＲＯＭ、ＲＡＭなどにより構成されるメイン制御部４と、表示部を有する操作パネルを制御する操作パネル制御部５と、印刷ジョブの印刷データから形成された画像を用紙に印刷する印刷部６と、画像が印刷された用紙をオフセット処理するオフセット処理部７と、用紙を印刷するために搬送して、装置外に排出する用紙搬送部８とを備える。
【００２０】
印刷出力装置１は、ＬＡＮ、無線ＬＡＮ等のネットワークに接続され、ネットワークを通じて複数の情報処理装置２と通信可能とされる。印刷出力装置１と情報処理装置２とによって印刷出力システムが形成される。パーソナルコンピュータ、ワークステーションなどの情報処理装置２は、プリンタドライバを有しており、所定の文書データから印刷ジョブを作成し、印刷を指示する。通信制御部３は、情報処理装置２とネットワークを介して通信を行い、情報処理装置２から印刷ジョブを受信する。ここで、外部との通信手段として、ＵＳＢ接続やパラレルインタフェースなどを利用して、情報処理装置２を直接接続するか、あるいはＵＳＢメモリ、メモリカード等の記憶媒体を接続して、印刷ジョブの入力を受け付けてもよい。
【００２１】
ここで、図２に示すように、印刷出力装置１の主要な構成は、原稿搬送部（ＡＤＦ）１０１、画像読取部１０２、印刷部６、用紙搬送部１０４および給紙部１０５からなる。
【００２２】
原稿搬送部１０１において、少なくとも１枚の原稿が原稿セットトレイ１１にセットされると、原稿は１枚ずつ原稿セットトレイ１１から引き出されて搬送される。原稿は、画像読取り部１０２の原稿読取窓１０２ａを通過して、排紙トレイ１２に排出される。
【００２３】
原稿読取窓１０２ａの上方には、ＣＩＳ（Ｃｏｎｔａｃｔ Ｉｍａｇｅ Ｓｅｎｓｏｒ）１３が配設されている。このＣＩＳ１３は、原稿読取窓１０２ａを原稿が通過する際に、原稿裏面の画像を主走査方向に繰り返し読み取り、読み取った画像データを出力する。
【００２４】
また、画像読取部１０２において、原稿が原稿読取窓１０２ａを通過する際に、第１走査ユニット１５のランプが原稿表面を露光する。第１および第２走査ユニット１５、１６のミラーによって、原稿表面からの反射光が結像レンズ１７に導かれる。結像レンズ１７は、原稿表面の画像をＣＣＤ（ＣｈａｒｇｅＣｏｕｐｌｅｄ Ｄｅｖｉｃｅ）１８上に結像する。ＣＣＤ１８は、原稿表面の画像を主走査方向に繰り返し読み取り、読み取った画像データを出力する。
【００２５】
原稿が画像読取部１０２上面のプラテンガラス上に置かれた場合は、第１および第２走査ユニット１５、１６は、相互に所定の速度関係を維持しつつ移動して、第１走査ユニット１５のランプがプラテンガラス上の原稿表面を露光する。第１および第２走査ユニット１５、１６によって原稿表面からの反射光が結像レンズ１７に導かれる。結像レンズ１７は、原稿表面の画像をＣＣＤ１８上に結像する。
【００２６】
ＣＩＳ１３もしくはＣＣＤ１８から出力された画像データは、メイン制御部に入力され、メイン制御部は、画像データに対して、各種の画像処理を施し、処理後の画像データを印刷部６に出力する。
【００２７】
印刷部６は、画像データに基づく画像を用紙に記録するものであって、感光体ドラム２１、帯電器２２、光書込ユニット２３、現像器２４、転写ユニット２５、クリーニングユニット２６および定着ユニット２７等を備えている。
【００２８】
感光体ドラム２１は、一方向に回転駆動される。クリーニングユニット２６は、感光体の表面をクリーニングする。帯電器２２は、感光体の表面を均一に帯電する。なお、帯電器２２は、チャージャー型のものであっても、感光体ドラム２１に接触するローラ型やブラシ型のものであっても良い。
【００２９】
光書込ユニット２３は、２つのレーザ照射部２８ａ、２８ｂおよび２つのミラー群２９ａ、２９ｂを備えるレーザスキャニングユニット（ＬＳＵ）である。この光書込ユニット２３では、入力された画像データに応じたレーザ光を各レーザ照射部２８ａ、２８ｂからそれぞれ出射する。これらのレーザ光は、各ミラー群２９ａ、２９ｂを介して感光体ドラム２１に照射される。均一に帯電された感光体ドラム２１表面が露光され、感光体ドラム２１表面に静電潜像が形成される。
【００３０】
この光書込ユニット２３は、高速印字処理に対応するために２つのレーザ照射部２８ａ、２８ｂを備えた２ビーム方式を採用して、照射タイミングの高速化に伴う負担を軽減している。
【００３１】
なお、光書込ユニット２３として、レーザスキャニングユニットの代わりに、発光素子をアレイ状に並べたＥＬ書き込みヘッドやＬＥＤ書き込みヘッドを用いることもできる。
【００３２】
現像器２４は、トナーを感光体ドラム２１表面に供給して、静電潜像を現像し、トナー像を感光体ドラム２１表面に形成する。転写ユニット２５は、感光体ドラム２１表面のトナー像を用紙搬送部１０４により搬送されてきた用紙に転写する。定着ユニット２７は、用紙を加熱および加圧して、用紙上のトナー像を定着する。この後、用紙は、用紙搬送部１０４により排紙トレイ４７まで搬送されて排出される。また、クリーニングユニット２６は、現像、転写後に感光体ドラム２１の表面に残留したトナーを除去して回収する。
【００３３】
転写ユニット２５は、転写ベルト３１、駆動ローラ３２、従動ローラ３３および弾性導電性ローラ３４等を備えている。転写ベルト３１は、各ローラ３２〜３４と他のローラに張架され、駆動ローラ３２の駆動により回転される。転写ベルト３１は、所定の抵抗値、例えば、１×１０９〜１×１０１３Ω／ｃｍを有しており、その表面に載せられた用紙を搬送する。弾性導電性ローラ３４は、転写ベルト３１を介して感光体ドラム２１に押し付けられ、転写ベルト３１上の用紙を感光体ドラム２１表面に押し付ける。この弾性導電性ローラ３４には、感光体ドラム２１表面のトナー像の電荷とは逆極性の電界が印加され、この逆極性の電界により感光体ドラム２１表面のトナー像が転写ベルト３１上の用紙に転写される。例えば、トナー像が（−）極性の電荷を有している場合は、弾性導電性ローラ３４に印加されている電界の極性が（＋）極性にされる。
【００３４】
定着ユニット２７は、加熱ローラ３５および加圧ローラ３６を備えている。加熱ローラ３５内部には、ローラ表面を所定温度（定着温度：概ね１６０〜２００℃）に加熱するための熱源が設けられている。また、加熱ローラ３５に対して加圧ローラ３６が所定圧で圧接されるように、加圧ローラ３６の両端に図示しない加圧部材が配置されている。加熱ローラ３５と加圧ローラ３６間の圧接部（定着ニップ部と称される）に用紙が搬送されて来ると、各ローラ３５、３６により用紙が搬送されつつ、用紙上の未定着トナー像が加熱溶融され加圧されて、トナー像が用紙上に定着される。
【００３５】
用紙搬送部１０４は、用紙を搬送するための複数対の搬送ローラ４１、一対のレジストローラ４２、搬送経路４３、反転搬送経路４４、複数の分岐爪４５および一対の排紙ローラ４６等を備えている。
【００３６】
給紙部１０５は、複数の給紙トレイ５１を備えている。各給紙トレイ５１は、用紙を蓄積しておくためのトレイであり、印刷部６の下方に設けられている。また、各給紙トレイ５１は、用紙を一枚ずつ引き出すためのピックアップローラ等を備えている。引き出した用紙は、用紙搬送部１０４の搬送経路４３に送り出される。高速印字処理を目的として、各給紙トレイ５１は、定型サイズの用紙を５００〜１５００枚収納可能な容積を有している。
【００３７】
また、給紙部１０５として、複数種の用紙を多量に収納可能な大容量給紙カセット（ＬＣＣ）５２と、主として不定型サイズの用紙を供給するための手差しトレイ５３とが設けられている。
【００３８】
給紙部１０５から供給された用紙は、用紙の先端がレジストローラ４２に達するまで搬送経路４３を搬送される。レジストローラ４２は、一時的に停止しているので、用紙の先端がレジストローラ４２に達して当接すると、用紙が撓む。この撓んだ用紙の弾性力により、用紙の先端がレジストローラ４２に平行になるように揃えられる。この後、レジストローラ４２の回転が開始され、レジストローラ４２により用紙が印字部１０３の転写ユニット２５に搬送される。定着後の用紙は、排紙ローラ４６により排紙トレイ４７に搬送される。
【００３９】
レジストローラ４２の停止および回転は、レジストローラ４２と駆動軸間のクラッチをオンオフしたり、あるいはレジストローラ４２の駆動源であるモータをオンオフすることにより行われる。
【００４０】
上記のように搬送されることにより、用紙の表面に画像が印刷されて記録される。用紙の裏面にも画像を記録する場合は、分岐爪４５の回転により、搬送経路４３と反転搬送経路４４の分岐路を切り替える。搬送される用紙は、反転搬送経路４４で表裏を反転され、反転搬送経路４４を介して搬送経路４３のレジストローラ４２に戻る。これにより、用紙の裏面にも画像が記録される。
【００４１】
搬送経路４３及び反転搬送経路４４においては、用紙の位置等を検出するセンサが各所に配置される。各センサにより検出された用紙の位置に基づいて、メイン制御部４は、搬送ローラ４１やレジストローラ４２を駆動制御して、用紙の搬送及び位置決めを行う。
【００４２】
排紙トレイ４７は、手差しトレイ５３とは反対側の側面に配置されている。この排紙トレイ４７に代えて、用紙の後処理（ステープル、パンチ処理、オフセット積載等々）を行う後処理装置を設けたり、複数段の排紙トレイをオプションとして配置することも可能である。
【００４３】
定着ユニット２７を通過した用紙がそのまま排紙ローラ４６から排紙トレイ４７に搬送されると、用紙は印字面を上に向けた状態で排紙トレイ４７に載置される。すなわち、用紙はフェイスアップで排出される。
【００４４】
これとは逆に、用紙をフェイスダウンで排出する場合、定着ユニット２７を通過した用紙を分岐爪４５によって反転搬送経路４４に導く。用紙の後端が搬送経路４３近傍側の分岐爪４５を通過したとき、反転搬送経路４４内のローラを逆転させて、用紙を排紙ローラ４６方向に搬送して、排紙トレイ４７に排出する。用紙は、印字面を下に向けた状態で排紙トレイ４７に載置される。
【００４５】
本印刷出力装置１では、印刷された用紙を用紙幅方向にずらして出力するオフセット処理が行われる。オフセット処理の方法としては、後処理装置を装着して、後処理装置に設けられる排紙トレイ４７を用紙搬送方向に対して直角方向へ移動させる方法、ステープルを行うために用紙を積載する後処理装置のステープルトレイに、用紙を積載して、用紙束をステープルトレイの用紙整合手段で用紙搬送方向に対して直角方向へ移動させた後、排紙トレイ４７に用紙束を排出する方法、用紙の後端近傍が排紙ローラ４６のニップ部に到達したとき、排紙ローラ４６を用紙搬送方向に対して直角方向へ移動させて排出する方法等があげられる。本印刷出力装置１では、これらの方法のうち、いずれか１つが採用される。
【００４６】
オフセット処理部７は、採用された方法に応じて、排紙トレイ４７、用紙整合手段、排紙ローラ４６のいずれかを駆動する。これにより、用紙は幅方向にずらされて出力される。なお、用紙が排出される排紙トレイ４７上のオフセット位置は、２箇所以上設定可能とされる。
【００４７】
ここで、本印刷出力装置１は、オフセット処理部７およびバナーページを印刷して出力するバナー出力部とを備えている。これらにより、入力された印刷ジョブに応じて、用紙に画像を印刷して出力するとき、オフセット処理を実行するとともに、バナーページを印刷するバナー出力を実行する区切りモードを行う。区切りモードでは、設定された条件にしたがって、オフセット処理とバナー出力とを組み合わせて、関連する複数の印刷ジョブを一まとめにできるように、印刷された用紙が出力される。
【００４８】
メイン制御部４は、入力された印刷ジョブからジョブ属性を解析するジョブ解析処理部１２１と、操作パネルから操作パネル制御部５を通じて入力された設定情報を処理する設定処理部１２２と、ジョブ属性に基づいてバナーページを生成するバナーページ生成部１２３と、ジョブ属性および設定情報を格納する情報格納部１２４と、印刷ジョブのジョブ属性を判別するジョブ属性判別部１２５と、設定情報にしたがってオフセット処理部７を制御するオフセット制御部１２６と、印刷ジョブの画像データに対して各種の画像処理を行う画像形成部１２７とを有する。なお、バナー出力部は、バナーページ生成部１２３と、印刷部６とによって構成される。
【００４９】
ジョブ属性は、情報処理装置２において印刷ジョブが作成されるときに、ジョブ情報として作成され、印刷ジョブに付与される。ジョブ属性におけるジョブ情報として、情報処理装置２のホスト名、ＩＰアドレス、ユーザ名、グループ名、ジョブ名、プリンタドライバ名、両面、ステープル、パンチ等があげられる。
【００５０】
ジョブ解析処理部１２１は、外部から入力された印刷ジョブに含まれるジョブ情報を取得して、ジョブ情報からジョブ属性に関する情報を取り出す。取り出されたジョブ属性は、図３に示すようなジョブ属性テーブルとして、メモリである情報格納部１２４に記憶される。
【００５１】
管理者のような権限を有するユーザが操作パネルから区切りモードに対する設定情報を入力したとき、設定処理部１２２は、設定情報にしたがってオフセット処理およびバナー出力を実行するタイミングを決める。オフセット制御部１２６は、オフセット処理を実行するタイミングに応じてオフセット処理部７を動作させる。バナーページ生成部１２３は、バナーページに印刷する画像として、印刷ジョブを識別できる情報に基づいて画像を作成する。ジョブ属性判別部１２５は、印刷ジョブが入力されたとき、前の印刷ジョブのジョブ属性と今回の印刷ジョブのジョブ属性が同じか異なるかを判断する。ジョブ属性の判別は、複数あるジョブ情報の中から選択された情報に対して行われる。
【００５２】
そして、メイン制御部４は、区切りモードを実行するために、ジョブ属性単位およびジョブ単位でオフセット処理およびバナー出力を設定する。すなわち、メイン制御部４は、先の印刷ジョブのジョブ属性と後の印刷ジョブのジョブ属性が変わるときに、オフセット処理およびバナー出力を実行させる。先の印刷ジョブのジョブ属性と後の印刷ジョブのジョブ属性が同じとき、設定に応じて、オフセット処理またはバナー出力のいずれか一方を実行させる。
【００５３】
また、メイン制御部４は、バナー出力において、印刷ジョブに対するバナーページを先出しするか後出しするかを設定する。先出しの場合、印刷ジョブの先頭ページの出力前にバナーページが出力される。後出しの場合、印刷ジョブの最終ページの出力後にバナーページが出力される。さらにメイン制御部４は、バナー出力において、バナーページをフェイスダウンで排出するかフェイスアップで排出するかを設定する。
【００５４】
すなわち、区切りモードにおいて、４つのパターンがある。第１のパターンでは、ジョブ属性単位でオフセット処理およびバナー出力を実行する。ジョブ属性が同じ場合、ジョブ単位ではオフセット処理およびバナー出力を実行しない。すなわち、オフセット処理およびバナー出力は、ジョブ属性単位で実行する。
【００５５】
第２のパターンでは、ジョブ属性単位でオフセット処理およびバナー出力を実行する。ジョブ属性が同じ場合、ジョブ単位でオフセット処理だけを実行する。すなわち、オフセット処理は、ジョブ単位で実行し、バナー出力は、ジョブ属性単位で実行する。
【００５６】
第３のパターンでは、ジョブ属性単位でオフセット処理およびバナー出力を実行する。ジョブ属性が同じ場合、ジョブ単位でバナー出力だけを実行する。すなわち、オフセット処理は、ジョブ属性単位で実行し、バナー出力は、ジョブ単位で実行する。
【００５７】
第４のパターンでは、ジョブ属性単位でオフセット処理およびバナー出力を実行する。ジョブ属性が同じ場合、ジョブ単位でもオフセット処理およびバナー出力を実行する。すなわち、ジョブ属性に関係なく、オフセット処理およびバナー出力は、ジョブ単位で実行する。
【００５８】
ユーザが区切りモードの設定を行うとき、ユーザは、操作パネルを操作して、入力を行う。図４に示すように、操作パネルは、表示部としてタッチパネル１３０を備えている。ユーザが、システム設定ボタン１３１を操作すると、タッチパネル１３０の画面に、図５に示す設定画面が表示される。設定画面の「プリント排出設定」を選択すると、図６に示す区切りモードのための設定画面が表示される。
【００５９】
この設定画面に切り替える前に、メイン制御部４は、ユーザの認証を要求する画面を表示して、ユーザの認証を行う。認証されたユーザは、区切りモードの設定を許可され、認証されなかったユーザは、設定を禁止される。この認証により、権限を有しないユーザによる不要な設定変更を防止することができ、印刷出力装置１を使用するユーザの混乱を防げる。
【００６０】
図６の設定画面では、オフセット処理およびバナー出力を実行するタイミングを設定できる。ユーザが、ジョブ属性が変わったときにオフセット処理およびバナー出力を実行することを選択すると、図７に示すジョブ属性の設定画面が表示される。
【００６１】
ユーザは、所望のジョブ情報を選択する。ここでは、ユーザ名が選択され、ユーザが異なると、ジョブ属性が変わる。なお、ＰＣ単位は、印刷出力装置１に通信可能に接続された情報処理装置２毎にジョブ属性が変わる。グループ単位は、複数の情報処理装置２をいくつかのワーキンググループに分けて登録し、グループ毎にジョブ属性が変わる。ジョブ単位は、印刷ジョブ毎にジョブ属性が変わる。
【００６２】
図８に示すバナーページに印刷する項目の設定画面が表示される。ユーザは、バナーページに印刷したい所望の項目を選択する。また、バナーページの印刷を複数ページとするか１ページとするかを選択する。複数ページの場合、全てのジョブ情報が記録されるので、印刷ジョブの内容をすぐに認識できる。１ページの場合、バナーページが複数となっても、１枚のバナーページだけ印刷され、無駄な用紙の使用を防止できる。ユーザは、バナーページの必要性に応じて複数ページか１ページかを選択する。
【００６３】
図９に示すバナーページの出力形態の設定画面が表示される。ユーザは、バナーページを先出しするか後出しするかを選択するとともに、フェイスアップかフェイスダウンかを選択する。
【００６４】
先出しの場合、最初の印刷ジョブに関連するジョブ情報がバナーページに記録される。後の印刷ジョブに対するバナーページは出力されず、用紙を節約できる。後出しの場合、全ての印刷ジョブに関連するジョブ情報がバナーページに記録することができる。ユーザは、バナーページの必要性に応じて先出しか後出しかを選択する。
【００６５】
フェイスアップの場合、バナーページの印刷面が見えるので、印刷ジョブの区別がしやすくなる。フェイスダウンの場合、バナーページの印刷面が見えないので、印刷ジョブの内容が他人に見られることを防げる。ユーザは、印刷出力装置１の使用実態に応じて、フェイスアップかフェイスダウンかを選択する。
【００６６】
また、図１０に示すバナーページを印刷する用紙の設定画面が表示される。ユーザは、所望の用紙が収容された給紙トレイ５１を選択する。例えば、印刷ジョブに使用する用紙がＡ４、バナーページに使用する用紙がＢ４とされたり、あるいは普通紙と厚紙、白紙とカラー紙といったように、異なる種類の用紙とされる。バナーページを容易に見分けることができる。
【００６７】
以上のようにユーザが操作パネルを通じて設定を行うと、メイン制御部４は、入力された設定情報を情報格納部１２４に記憶し、印刷ジョブが入力されると、設定にしたがって区切りモードを実行する。なお、区切りモードの設定は、情報処理装置２において行ってもよい。情報処理装置２は、設定情報を印刷出力装置１に送信し、印刷出力装置１のメイン制御部４は、設定情報を受け取る。
【００６８】
情報処理装置２において、印刷ジョブが作成されると、情報処理装置２は、印刷ジョブを印刷出力装置１に出力する。印刷出力装置１は、入力された印刷ジョブの処理を開始する。なお、区切りモードには、バナーページの先出しが設定されている。また、バナーページをフェイスダウンで排出するかフェイスアップで排出するかの設定、およびバナーページを１枚とするか複数枚とするかの設定もされている。
【００６９】
図１１に示すように、印刷出力装置１は、印刷ジョブを受信する（Ｓ１）と、メイン制御部４は、最初の印刷ジョブであるかを確認する（Ｓ２）。すなわち、メイン制御部４は、排紙トレイ４７上の用紙の有無を検出し、用紙があるとき最初の印刷ジョブでないと判断し、用紙がないとき、最初の印刷ジョブであると判断する。
【００７０】
最初の印刷ジョブであれば、メイン制御部４は、情報格納部１２４の格納エリア１に記憶されているジョブ属性をクリアする（Ｓ３）。すなわち、以前の印刷ジョブのジョブ属性をクリアする。メイン制御部４は、受信した印刷ジョブのジョブ属性を情報格納部１２４の格納エリア１に格納する（Ｓ４）。
【００７１】
メイン制御部４は、区切りモードの設定に応じて、バナーページを作成し、印刷部６にバナーページの画像データを出力する（Ｓ５）。印刷部６は、バナーページを予め設定された用紙に印刷して、排紙トレイ４７に排出する。この後、メイン制御部４は、印刷ジョブの印刷を行う（Ｓ６）。画像が印刷された用紙は、排紙トレイ４７のバナーページの上に揃うように排出される。
【００７２】
このように印刷ジョブが実行された後に、次の印刷ジョブが入力されると、メイン制御部４は、最初の印刷ジョブでないと判断して、次の印刷ジョブのジョブ属性を情報格納部１２４の格納エリア２に格納する（Ｓ７）。情報格納部１２４は、先の印刷ジョブのジョブ属性および今回の印刷ジョブのジョブ属性を記憶している。
【００７３】
メイン制御部４は、区切りモードの設定がジョブ属性単位でオフセット処理を実行するかを確認する（Ｓ８）。さらに、ジョブ属性単位でバナー出力を実行するかを確認する（Ｓ９）。
【００７４】
ジョブ属性単位でオフセット処理およびバナー出力を実行する場合、第１のパターンの区切りモードが実行される。メイン制御部４は、先の印刷ジョブのジョブ属性と後の印刷ジョブのジョブ属性とを比較する（Ｓ１０）。ジョブ属性が同じ場合、同じユーザの印刷ジョブである。この場合、メイン制御部４は、オフセット処理もバナー出力も実行しないようにして、印刷ジョブを実行する。図１２の（１Ａ）に示すように、印刷された用紙は、先の印刷ジョブの用紙の上に揃うように排出される（Ｓ１１）。メイン制御部４は、格納エリア１のジョブ属性を格納エリア２のジョブ属性に書き換える（Ｓ２４）。
【００７５】
そして、他のユーザが作成した印刷ジョブが入力すると、メイン制御部４は、印刷ジョブのジョブ属性を格納エリア２に格納して（Ｓ７）、先の印刷ジョブのジョブ属性と後の印刷ジョブのジョブ属性とを比較する（Ｓ１０）。先のジョブ属性と後のジョブ属性とは異なるので、メイン制御部４は、オフセット処理およびバナー出力を実行させる。
【００７６】
メイン制御部４は、新しい印刷ジョブのバナーページを作成し、印刷部６は、バナーページを印刷して出力する。バナーページは、先の印刷ジョブの用紙とは異なる位置（オフセット位置Ｂ）に排出される（Ｓ１２）。この後、メイン制御部４は、印刷ジョブを実行する。図１２の（１Ａ）に示すように、印刷された用紙は、先の印刷ジョブの用紙からずれた位置にあるバナーページの上に排出される（Ｓ１３）。以降、排紙トレイ４７に印刷された用紙がある場合、ジョブ属性単位でオフセット処理およびバナー出力が実行される。
【００７７】
Ｓ８において、ジョブ属性単位でオフセット処理を実行しない、言い換えれば、ジョブ単位でオフセット処理を実行する場合、メイン制御部４は、ジョブ属性単位でバナー出力を実行するかを確認する（Ｓ１７）。ジョブ属性単位でバナー出力を実行する場合、第２のパターンの区切りモードが実行される。
【００７８】
メイン制御部４は、先の印刷ジョブのジョブ属性と後の印刷ジョブのジョブ属性とを比較する（Ｓ１８）。ジョブ属性が同じ場合、メイン制御部４は、オフセット処理を実行させる。図１２の（２Ａ）に示すように、印刷ジョブの用紙は、先の印刷ジョブの用紙からずれた位置に排出される（Ｓ１９）。メイン制御部４は、格納エリア１のジョブ属性を格納エリア２のジョブ属性に書き換える（Ｓ２４）。
【００７９】
そして、他のユーザが作成した印刷ジョブが入力すると、メイン制御部４は、印刷ジョブのジョブ属性を格納エリア２に格納して（Ｓ７）、先の印刷ジョブのジョブ属性と後の印刷ジョブのジョブ属性とを比較する（Ｓ１８）。先のジョブ属性と後のジョブ属性とは異なるので、メイン制御部４は、オフセット処理およびバナー出力を実行させる。
【００８０】
メイン制御部４は、新しい印刷ジョブのバナーページを作成し、印刷部６は、バナーページを印刷して出力する。バナーページは、先の印刷ジョブの用紙とは異なる位置に排出される（Ｓ２０）。この後、メイン制御部４は、印刷ジョブを実行する。図１２の（２Ａ）に示すように、印刷された用紙は、先の印刷ジョブの用紙からずれた位置にあるバナーページの上に排出される（Ｓ２１）。以降、排紙トレイ４７に印刷された用紙がある場合、ジョブ属性単位でバナー出力が実行され、ジョブ単位でオフセット処理が実行される。
【００８１】
Ｓ９において、ジョブ属性単位でバナー出力を実行しない、言い換えれば、ジョブ単位でバナー出力を実行する場合、第３のパターンの区切りモードが実行される。メイン制御部４は、先の印刷ジョブのジョブ属性と後の印刷ジョブのジョブ属性とを比較する（Ｓ１４）。ジョブ属性が同じ場合、メイン制御部４は、バナー出力を実行させる。図１３の（３Ａ）に示すように、バナーページは、先の印刷ジョブの用紙の上に揃うように排出される（Ｓ１５）。メイン制御部４は、印刷ジョブを実行する。印刷された用紙は、バナーページの上に排出され、先の印刷ジョブの用紙に揃うように排出される（Ｓ１６）。メイン制御部４は、格納エリア１のジョブ属性を格納エリア２のジョブ属性に書き換える（Ｓ２４）。
【００８２】
そして、他のユーザが作成した印刷ジョブが入力すると、メイン制御部４は、この印刷ジョブのジョブ属性を格納エリア２に格納して（Ｓ７）、先の印刷ジョブのジョブ属性と後の印刷ジョブのジョブ属性とを比較する（Ｓ１４）。先のジョブ属性と後のジョブ属性とは異なるので、メイン制御部４は、オフセット処理およびバナー出力を実行させる。
【００８３】
メイン制御部４は、新しい印刷ジョブのバナーページを作成し、印刷部６は、バナーページを印刷して出力する。図１３の（３Ａ）に示すように、バナーページは、先の印刷ジョブの用紙とは異なる位置（オフセット位置Ｂ）に排出される（Ｓ１２）。この後、メイン制御部４は、印刷ジョブを実行する。印刷された用紙は、先の印刷ジョブの用紙からずれた位置にあるバナーページの上に排出される（Ｓ１３）。以降、排紙トレイ４７に印刷された用紙がある場合、ジョブ属性単位でオフセット処理が実行され、ジョブ単位でバナー出力が実行される。
【００８４】
Ｓ１７において、ジョブ属性単位でバナー出力を実行しない、言い換えれば、ジョブ単位でバナー出力を実行する場合、第４のパターンの区切りモードが実行される。メイン制御部４は、ジョブ毎にオフセット処理およびバナー出力を実行させる。図１３の（４Ａ）に示すように、バナーページは、先の印刷ジョブの用紙からずれて排出される（Ｓ２２）。印刷ジョブの用紙は、バナーページからずれて排出される（Ｓ２３）。メイン制御部４は、格納エリア１のジョブ属性を格納エリア２のジョブ属性に書き換える（Ｓ２４）。以降、印刷ジョブが入力されると、ジョブ属性に関係なく、メイン制御部４は、ジョブ毎にオフセット処理およびバナー出力を実行させる。
【００８５】
次に、区切りモードにおいて、バナーページの後出しが設定されている場合、図１４に示すように、印刷出力装置１は、印刷ジョブを受信する（Ｓ３１）と、メイン制御部４は、最初の印刷ジョブであるかを確認する（Ｓ３２）。
【００８６】
最初の印刷ジョブであれば、メイン制御部４は、情報格納部１２４の格納エリア１に記憶されているジョブ属性をクリアして（Ｓ３３）、受信した印刷ジョブのジョブ属性を情報格納部１２４の格納エリア１に格納する（Ｓ３４）。
【００８７】
メイン制御部４は、印刷ジョブを実行する。印刷された用紙は、排紙トレイ４７に排出される（Ｓ３５）。メイン制御部４は、次の印刷ジョブの有無を確認する（Ｓ３６）。次の印刷ジョブがない場合、メイン制御部４は、タイマーをスタートさせる（Ｓ３７）。ここで、印刷ジョブが入力される（Ｓ３８）と、メイン制御部４は、タイマーを初期化する（Ｓ３９）。次の印刷ジョブが入力されず、タイムアップする（Ｓ４０）と、メイン制御部４は、同じジョブ属性を有する印刷ジョブの入力がないと判断して、バナー出力を実行させる。実行された印刷ジョブのバナーページが出力され、バナーページは排紙トレイ４７の用紙の上に揃うように排出される（Ｓ４１）。
【００８８】
次の印刷ジョブが入力された場合、メイン制御部４は、この印刷ジョブのジョブ属性を情報格納部１２４の格納エリア２に格納する（Ｓ４２）。メイン制御部４は、区切りモードの設定がジョブ属性単位でオフセット処理を実行するかを確認する（Ｓ４３）。さらに、ジョブ属性単位でバナー出力を実行するかを確認する（Ｓ４４）。
【００８９】
ジョブ属性単位でオフセット処理およびバナー出力を実行する場合、第１のパターンの区切りモードが実行される。メイン制御部４は、先の印刷ジョブのジョブ属性と後の印刷ジョブのジョブ属性とを比較する（Ｓ４５）。ジョブ属性が同じ場合、メイン制御部４は、オフセット処理もバナー出力も実行しないようにして、印刷ジョブを実行する。図１５の（１Ｂ）に示すように、印刷された用紙は、先の印刷ジョブの用紙の上に揃うように排出される（Ｓ４６）。メイン制御部４は、格納エリア１のジョブ属性を格納エリア２のジョブ属性に書き換える（Ｓ５９）。
【００９０】
そして、他のユーザが作成した印刷ジョブが入力すると、メイン制御部４は、印刷ジョブのジョブ属性を格納エリア２に格納して（Ｓ４２）、先の印刷ジョブのジョブ属性と後の印刷ジョブのジョブ属性とを比較する（Ｓ４５）。先のジョブ属性と後のジョブ属性とは異なるので、メイン制御部４は、オフセット処理およびバナー出力を実行させる。
【００９１】
メイン制御部４は、先の印刷ジョブのバナーページを作成し、印刷部６は、バナーページを印刷して出力する。図１５の（１Ｂ）に示すように、バナーページは、先の印刷ジョブの用紙の上に排出される（Ｓ５５）。この後、メイン制御部４は、印刷ジョブを実行する。印刷された用紙は、バナーページからずれた位置（オフセット位置Ｂ）に排出される（Ｓ５６）。以降、排紙トレイ４７に印刷された用紙がある場合、ジョブ属性単位でオフセット処理およびバナー出力が実行される。
【００９２】
Ｓ４３において、ジョブ属性単位でオフセット処理を実行しない、言い換えれば、ジョブ単位でオフセット処理を実行する場合、メイン制御部４は、ジョブ属性単位でバナー出力を実行するかを確認する（Ｓ５２）。ジョブ属性単位でバナー出力を実行する場合、第２のパターンの区切りモードが実行される。
【００９３】
メイン制御部４は、先の印刷ジョブのジョブ属性と後の印刷ジョブのジョブ属性とを比較する（Ｓ５３）。ジョブ属性が同じ場合、メイン制御部４は、オフセット処理を実行させる。図１５の（２Ｂ）に示すように、印刷ジョブの用紙は、先の印刷ジョブの用紙からずれた位置に排出される（Ｓ５４）。メイン制御部４は、格納エリア１のジョブ属性を格納エリア２のジョブ属性に書き換える（Ｓ５９）。
【００９４】
そして、他のユーザが作成した印刷ジョブが入力すると、メイン制御部４は、印刷ジョブのジョブ属性を格納エリア２に格納して（Ｓ４２）、先の印刷ジョブのジョブ属性と後の印刷ジョブのジョブ属性とを比較する（Ｓ５３）。先のジョブ属性と後のジョブ属性とは異なるので、メイン制御部４は、オフセット処理およびバナー出力を実行させる。
【００９５】
メイン制御部４は、先の印刷ジョブのバナーページを作成し、印刷部６は、バナーページを印刷して出力する。バナーページは、先の印刷ジョブの用紙の上に排出される（Ｓ５５）。この後、メイン制御部４は、印刷ジョブを実行する。図１５の（２Ｂ）に示すように、印刷された用紙は、先の印刷ジョブの用紙からずれた位置に排出される（Ｓ５６）。以降、排紙トレイ４７に印刷された用紙がある場合、ジョブ属性単位でバナー出力が実行され、ジョブ単位でオフセット処理が実行される。
【００９６】
Ｓ４４において、ジョブ属性単位でバナー出力を実行しない、言い換えれば、ジョブ単位でバナー出力を実行する場合、第３のパターンの区切りモードが実行される。メイン制御部４は、先の印刷ジョブのジョブ属性と後の印刷ジョブのジョブ属性とを比較する（Ｓ４７）。ジョブ属性が同じ場合、メイン制御部４は、バナー出力を実行させる。図１６の（３Ｂ）に示すように、バナーページは、先の印刷ジョブの用紙の上に揃うように排出される（Ｓ４８）。メイン制御部４は、印刷ジョブを実行する。印刷された用紙は、バナーページの上に排出され、先の印刷ジョブの用紙に揃うように排出される（Ｓ４９）。メイン制御部４は、格納エリア１のジョブ属性を格納エリア２のジョブ属性に書き換える（Ｓ５９）。
【００９７】
そして、他のユーザが作成した印刷ジョブが入力すると、メイン制御部４は、印刷ジョブのジョブ属性を格納エリア２に格納して（Ｓ４２）、先の印刷ジョブのジョブ属性と後の印刷ジョブのジョブ属性とを比較する（Ｓ４７）。先のジョブ属性と後のジョブ属性とは異なるので、メイン制御部４は、オフセット処理およびバナー出力を実行させる。
【００９８】
メイン制御部４は、先の印刷ジョブのバナーページを作成し、印刷部６は、バナーページを印刷して出力する。図１６の（３Ｂ）に示すように、バナーページは、先の印刷ジョブの用紙の上に排出される（Ｓ５０）。この後、メイン制御部４は、印刷ジョブを実行する。印刷された用紙は、バナーページからずれた位置に排出される（Ｓ５１）。以降、排紙トレイ４７に印刷された用紙がある場合、ジョブ属性単位でオフセット処理が実行され、ジョブ単位でバナー出力が実行される。
【００９９】
Ｓ５２において、ジョブ属性単位でバナー出力を実行しない、言い換えれば、ジョブ単位でバナー出力を実行する場合、第４のパターンの区切りモードが実行される。メイン制御部４は、ジョブ毎にオフセット処理およびバナー出力を実行させる。図１６の（４Ｂ）に示すように、バナーページは、先の印刷ジョブの用紙の上に排出される（Ｓ５７）。印刷ジョブの用紙は、バナーページからずれて排出される（Ｓ５８）。メイン制御部４は、格納エリア１のジョブ属性を格納エリア２のジョブ属性に書き換える（Ｓ５９）。以降、印刷ジョブが入力されると、ジョブ属性に関係なく、メイン制御部４は、ジョブ毎にオフセット処理およびバナー出力を実行させる。
【０１００】
以上のように、ジョブ属性単位でオフセット処理およびバナー出力を実行することにより、関連する印刷ジョブの用紙を一まとめにして出力することができる。例えば、多数のユーザがそれぞれ印刷を行なったとき、容易に見分けることができるように、ユーザ毎に出力された用紙が排出される。そのため、ユーザは、各自の用紙を一まとめにして容易に取り出すことができる。
【０１０１】
なお、本発明は、上記実施形態に限定されるものではなく、本発明の範囲内で上記実施形態に多くの修正および変更を加え得ることは勿論である。印刷出力装置は、複合機、コピー機、プリンタであってもよい。そして、印刷ジョブは、プリントに限らず、コピー、ＦＡＸの受信によるものでもよい。コピーの場合、ジョブ属性として、ユーザ、印刷部数等があげられる。ＦＡＸの場合、送信者があげられる。
【図面の簡単な説明】
【０１０２】
【図１】印刷出力装置の機能ブロック図
【図２】本発明の印刷出力装置の概略構成図
【図３】ジョブ属性テーブルを示す図
【図４】操作パネルを示す図
【図５】システム設定の選択画面を示す図
【図６】区切りモードの設定画面を示す図
【図７】ジョブ属性の設定画面を示す図
【図８】バナーページの印刷項目の設定画面を示す図
【図９】バナーページの出力形態の設定画面を示す図
【図１０】バナーページの用紙設定画面を示す図
【図１１】バナーページ先出しとして、印刷ジョブを処理するときのフローチャート
【図１２】（１Ａ）第１のパターンで用紙を出力した状態を示す図、（２Ａ）第２のパターンで用紙を出力した状態を示す図
【図１３】（３Ａ）第３のパターンで用紙を出力した状態を示す図、（４Ａ）第４のパターンで用紙を出力した状態を示す図
【図１４】バナーページ後出しとして、印刷ジョブを処理するときのフローチャート
【図１５】（１Ｂ）第１のパターンで用紙を出力した状態を示す図、（２Ｂ）第２のパターンで用紙を出力した状態を示す図
【図１６】（３Ｂ）第３のパターンで用紙を出力した状態を示す図、（４Ｂ）第４のパターンで用紙を出力した状態を示す図
【符号の説明】
【０１０３】
１    印刷出力装置
２    情報処理装置
３    通信制御部
４    メイン制御部
５    操作パネル制御部
６    印刷部
７    オフセット処理部
８    用紙搬送部
１２１    ジョブ情報解析部
１２２    設定処理部
１２３    バナーページ生成部
１２４    情報格納部
１２５    ジョブ属性判別部
１２６    オフセット制御部
１２７    画像形成部
【図１】
0004664391.tif 000002
【図２】
0004664391.tif 000003
【図３】
0004664391.tif 000004
【図４】
0004664391.tif 000005
【図５】
0004664391.tif 000006
【図６】
0004664391.tif 000007
【図７】
0004664391.tif 000008
【図８】
0004664391.tif 000009
【図９】
0004664391.tif 000010
【図１０】
0004664391.tif 000011
【図１１】
0004664391.tif 000012
【図１２】
0004664391.tif 000013
【図１３】
0004664391.tif 000014
【図１４】
0004664391.tif 000015
【図１５】
0004664391.tif 000016
【図１６】
0004664391.tif 000017